(57)【要約】【課題】設定インターバルに対して変動のないインターバル記録が可能となる装置を提供する。【解決手段】記録媒体を交換可能に装着する記録媒体装着手段と、前記記録媒体装着手段に装着された記録媒体にデータを記録するデータ記録手段と、インターバル記録が行われているときにインターバルの計時を行うと共に前記記録媒体の交換動作中においてもインターバルの計時を続行するインターバル計時手段と、前記データを保持できるバッファメモリ手段と、を有し、インターバル記録が行われている状態において、前記記録媒体の交換作業中に前記インターバル時間が経過した場合には前記バッファメモリ手段にデータを記録する。【選択図】図４
2004139729.tif 000002
【特許請求の範囲】
【請求項１】
　記録媒体を交換可能に装着する記録媒体装着手段と、
　前記記録媒体装着手段に装着された記録媒体にデータを記録するデータ記録手段と、
　インターバル記録が行われているときにインターバルの計時を行うと共に前記記録媒体の交換動作中においてもインターバルの計時を続行するインターバル計時手段と、
　前記データを保持できるバッファメモリ手段と、
　を有し、
　インターバル記録が行われている状態において、前記記録媒体の交換作業中に前記インターバル時間が経過した場合には前記バッファメモリ手段にデータを記録することを特徴とするインターバル記録装置。
【請求項２】
　前記バッファメモリ手段に記録されたデータは、交換作業が終了した記録媒体に転送されることを特徴とする請求項１に記載のインターバル記録装置。
【請求項３】
　前記記録媒体の記憶容量を検出する記憶容量検出手段をさらに有し、
　前記記憶容量検出手段によって残り記憶容量が所定量に達すると警告を行うことを特徴とする請求項１または２に記載のインターバル記録装置。
【発明の詳細な説明】
【技術分野】
【０００１】
　本発明は、交換可能な記録媒体を用いるインターバル記録装置に関する。
【背景技術】
【０００２】
　従来の交換可能な記録媒体を用いる記録再生装置、例えば、フロッピィディスク、メモリカード、あるいは、光磁気ディスク等を用いる画像記録再生装置は、その動作モードとして、設定された所定のインターバルで繰り返し画像の記録、または、再生を行うことができるインターバル記録乃至インターバル再生モードを有している。このインターバル記録乃至インターバル再生モードによる記録、または、再生は、バイオの実験における変化過程や植物の変化の状態、また、人の動く状態、自然現象の変化の過程等を設定されたインターバルで記録、または、再生する場合に用いられるものである。従って、そのインターバルはできる限り一定に保つ必要がある。また、その記録は長時間に及ぶ場合があり、撮影コマ数も多くなる場合が多い。そこで上記フロッピィディスク、または、メモリカード等の記録媒体の１枚の記憶容量を越えたときは、インターバル記録の途中であっても差し替える必要があった。
【０００３】
　従来の画像記録再生装置における上記インターバル記録モードでの動作は、インターバル記録を実行中に、記録媒体の記憶容量がなくなってしまったとき、一旦、上記インターバル記録を中断して、記録媒体を未記録のものと交換し、その後、インターバル記録を再開させるようにしていた。インターバル再生モードによる動作についても同様に、インターバル再生を実行中に、記録媒体の記憶情報をすべて再生してしまったとき、一旦、上記インターバル再生を中断して、後続の情報が記録されている記録媒体と交換して、再生を再開するようにしていた。
【発明の開示】
【発明が解決しようとする課題】
【０００４】
　ところが、上述の従来の画像記録再生装置による上記インターバル記録動作によると、まず、記録媒体の記憶容量がなくなったとき、新しい記録媒体との交換に要する時間が、設定インターバルの期間より長くなってしまった場合、中断中の記録ができなかったということも起こる。また、設定インターバルが長くて、逆にインターバルの期間より早く交換が終わったようなとき、インターバル記録のスタートを改めて指示することから、再スタート時の最初のインターバルが異なってくる可能性を有している。また、そのインターバルを合わせるためには、正規のインターバルの時間に達するまで撮影者は待機している必要がある。このように、記録媒体の交換のために、インターバルの計時が中断されることにより、一定のインターバルで記録を続けることが困難となっていた。
【０００５】
　図１２の（Ａ）は、上記従来の画像記録再生装置における記録媒体交換時の記録動作状態のタイムチャ−トであって、交換に要する時間が設定インターバルより長かった場合の動作例を示している。本図に示すように、最初に装着された記録媒体（Ａ）への画像情報の書き込みが媒体の記憶容量に対してフル状態になったとき、一旦、インターバル記録を中断する。そして、記録媒体（Ａ）を取り出し、別の記録媒体（Ｂ）を装着し、インターバル記録を再開させることになる。ところが、上記媒体の交換動作中、本来であれば、インターバルからみて一回分の画像記録が行われなけれならないが、その記録が抜けた状態になってしまう。
【０００６】
　図１２の（Ｂ）は、上記従来の画像記録再生装置において、インターバルが長い場合の記録動作状態のタイムチャ−トであって、記録媒体（Ａ）への画像情報の書き込みが記憶容量に対してフル状態になったとき、同様に、インターバル記録を中断して、記録媒体（Ａ）を取り出し、別の記録媒体（Ｂ）を装着し、インターバル記録を再開させることになる。再開時に最初に記録するときのインターバルが設定インターバルよりも短くなってしまうことになる。これを設定インターバルに合わせようとするには、撮影者はある時間待機している必要があり、また、そのために誤差を生じる可能性がある。
【０００７】
　本発明は、上述の不具合を解決するためになされたものであり、インターバル記録装置において、記録媒体の交換時期によらずに設定されたインターバルを維持するようにして、特にインターバル期間中に記録媒体交換作業がたとえ終了していなくとも、設定インターバルに対して変動のないインターバル記録が可能となる装置を提供することを目的とする。
【課題を解決するための手段】
【０００８】
　本発明のインターバル記録装置は、記録媒体を交換可能に装着する記録媒体装着手段と、前記記録媒体装着手段に装着された記録媒体にデータを記録するデータ記録手段と、インターバル記録が行われているときにインターバルの計時を行うと共に前記記録媒体の交換動作中においてもインターバルの計時を続行するインターバル計時手段と、前記データを保持できるバッファメモリ手段と、を有し、インターバル記録が行われている状態において、前記記録媒体の交換作業中に前記インターバル時間が経過した場合には前記バッファメモリ手段にデータを記録することを特徴とする。
【０００９】
　本発明では、インターバル記録中の記録媒体の交換が行われたとしても、その交換時期に影響されることなく、特にインターバル期間中に記録媒体交換作業がたとえ終了していなくとも、当初設定されたインターバルを維持してインターバル記録がなされる。
【発明の効果】
【００１０】
　本発明によれば、記録媒体交換に因らず、当初設定された当該インターバルを維持するように処理されるため、記録媒体をインターバル記録途中で交換したとしても、特にインターバル期間中に記録媒体交換作業がたとえ終了していなくとも、設定インターバルが変化することなく、正確なインターバルの記録、再生が実行できるなど数多くの顕著な効果を有する。
【発明を実施するための最良の形態】
【００１１】
　以下、本発明の実施例を図に基づいて説明する。
【００１２】
　図１は、本発明の第１実施例を示すインターバル記録・再生装置である画像記録再生装置のブロック構成図である。本画像記録再生装置１０１は、図２の撮影システムのブロック図に示すように、ＩＣメモリカード（以下、ＩＣカ−ドと記載する）２５を記録媒体として用いるものである。例えば、ビデオカメラ１０２からのビデオ信号を取り込み、上記ＩＣカード２５に画像情報として記録すると同時にモニタ１０３にモニタ用のビデオ信号を出力する装置に適用される。なお、再生時にはＩＣカード２５に記録されている画像情報が再生ビデオ信号としてモニタ１０３に出力される。
【００１３】
　そして、本装置はインターバルでの記録、または、再生を行うことが可能な装置であって、そのインターバルがＩＣカード２５の交換作業の時期によらず一定に保つことができることを特徴とする。更に、現在挿入されているＩＣカード２５中の残りの容量、即ち、未記録コマ数、または、再生中であれば残りの未再生コマ数が１枚になった時点では警告（１）を発するようにして、操作者にＩＣカードの交換に準備をするように注意を与える。そして、未記録コマ数、または、再生中であれば残りの未再生コマ数がなくなった時点で、警告（２）を発し、それによって操作者はＩＣカードの交換を行う。その交換作業中にもインターバルの計時は継続される。本装置は、このようにしてインターバル撮影のミス、または、再生のミスのないようにした画像記録再生装置である。
【００１４】
　なお、本記録再生装置における各制御要素は、全てシステム制御回路１によってコントロールされるものとする。そして、本装置に対する操作信号は、スイッチ３１〜４０によりオンオフ信号入力され、操作部１６を介してシステム制御回路１に取り込まれるものとする。
【００１５】
　上記各スイッチの機能から説明すると、まず、START SW３１は、指示された記録，再生、または、インターバル記録，再生等の実行を開始させるスイッチである。REC SW３２は、記録モードに切り換え記録スタンバイ状態にするスイッチ、INT REC SW３３は、インターバル撮影モード設定手段であって、モードをインターバル撮影モードに切り換え、インターバル撮影スタンバイ状態にするスイッチである。また、（＋）SW３４，（−）SW３５は、例えば、記録，再生するコマ番号を指定する場合、また、インターバル撮影におけるインターバルを設定する場合等、それぞれ指定する値を増加、または、減じるスイッチである。また、STOP SW ３６は、処理動作を停止させるスイッチであって、PLAY SW ３７は、再生モードの切り換え、再生スタンバイ状態にするスイッチである。　また、INT PLAY SW ３８は、インターバル再生モード設定手段であって、モードをインターバル再生モードに切り換え、インターバル再生スタンバイ状態にするスイッチである。更に、ERASE SW３９，ALL ERASE SW４０は、ＩＣカード（Ａ）２５の１コマ、または、全コマの記録データを消去を指示するスイッチである。
【００１６】
　さて、本記録再生装置において画像データを記録する記録モードにおいては、まず、画像データは、ＲＧＢ端子２ａ，Ｓ端子２ｂ，ＮＴＳＣ端子２ｃの何れかの端子から入力され、信号選択回路であるセレクタ２を介して、増幅回路のＡＭＰ３に取り込まれ、アナログ／デジタル変換回路のＡＤＣ４でデジタル信号に変換される。その出力は切り換えスイッチ５により画像メモリのＲＡＭ６と再生プロセス回路１８とに切り換えて出力される。ＲＡＭ６で１画面分の画像データが一時的に記憶され、更に、切り換えスイッチ７を介して圧縮伸長ユニット２０、または、切り換えスイッチ１２に出力される。
【００１７】
　なお、圧縮伸長ユニット２０に出力された場合は、データが圧縮され、切り換えスイッチ１２に出力された場合は、圧縮されない状態で処理される。そして、上記切り換えスイッチ１２を介してＩＣカ−ド用インターフェース回路のカ−ドＩ／Ｆ１３に出力され、ＩＣカ−ド２５に記録される。一方、再生プロセス回路１８に出力された画像データは、デジタル／アナログ変換回路のＤＡＣ１９でアナログ信号に変換され、ビデオ信号としてモニタ１０３等に出力される。
【００１８】
　なお、上記ＤＡＣ１９においては、更に、システム制御回路１によって指定されたキャラクタ等の記録再生コマ数や後述する警告表示データがキャラクタジェネレータ回路のＣＧ１７を介して混合される。また、上記圧縮伸長ユニット２０は、周知の画像データ圧縮伸長処理回路であって、ＤＣＴ／ＩＤＣＴ回路８，Ｑ／Ｑ-1回路９，符号化／復号化回路１０により構成されている。その圧縮率は、システム制御回路１によりコントロールされる符号化制御回路１１によって決定される。
【００１９】
　本記録再生装置においては、インターバル記録，再生動作中、警告（１）と警告（２）の２種類の警告がなされる。１つは、挿入されているＩＣカード２５中の残りの容量、即ち、未記録コマ数、または、再生中であれば残りの未再生コマ数が１枚になった時点で、その旨を表示する警告（１）である。この警告により操作者はＩＣカードの交換の準備を行う。他の１つは、ＩＣカードの未記録メモリエリアがなくなってしまった状態、または、データを記録するメモリが全くない状態において、ＩＣカード２５の交換作業の許容残り時間、即ち、次の記録，再生が開始されるまでの残り時間を示す警告（２）である。操作者はこの警告によりＩＣカードの交換を行う。これらの警告は、モニタ１０３による表示の他に、ブザ−２１で音により上記の警告を、また、ＬＣＤ２２で液晶表示により上記の警告をそれぞれ行うことができる。また、このＬＣＤ２２の表示はＬＥＤを用いるようにしてもよい。また、上記モニタ１０３に出力される警告は、前記ＣＧ１７を介しておこなわれることから、文字による警告、色による警告等より詳しい表示を行うことができる。
【００２０】
　また、本記録再生装置においては、光磁気ディスク２３に記録された画像データを光磁気ディスクドライブ２４を介して取り込み、モニタ１０３に再生することも可能である。また、取り込まれた画像データを光磁気ディスク２３に記録することも可能である。更に、外部の機器に対しても、通信制御回路１４、および、シリアルＩ／Ｆ１５を介して通信可能とする。
【００２１】
　以上のように構成された本実施例の記録再生装置のインターバル撮影モードにおけるＩＣカード２５の交換動作について図３のタイムチャ−トによって説明する。  
　まず、前記INT REC SW３３を操作してインターバル記録モードを選択し、設定されたインターバルに基づいてインターバル撮影を開始する。そのインターバル記録が継続して行われた後、最初に装着されたＩＣカード（Ａ）２５の画像データ記録エリアにおける未記録部分がコマ数として１コマになったとき、残りコマ数が１コマである旨の警告（１）がブザ−２１より発せられ、操作者にＩＣカード（Ａ）２５の取り替えの準備をするように警告する。同時に、ＬＣＤ２２にも該警告（１）表示がなされる。
【００２２】
　続いて、ＩＣカード（Ａ）２５の残りのコマ数がなくなったとき、つぎの記録が開始されるまでの残り時間を示す警告（２）がＬＣＤ２２に表示され、同時にブザ−２１より、例えば、残り時間の値に対応して音の高低を変化させて警告音を発する。そこで、操作者は、該設定インターバルの期間中にＩＣカード（Ｂ）２６と交換する。該交換動作が終了した時点で警告（２）がオフとなり、記録可能状態になる。この警告（２）が出されている交換動作中にもシステム制御回路１内でのインターバルの計時は続行されており、該インターバルの単位時間が経過した時点でＩＣカード（Ｂ）２６への画像データに記録が実行される。  
　なお、本実施例の上記インターバル記録モードにおけるフローチャートによる記録動作については、本実施例の変形例の処理動作のフローチャートを示す図５，６を用いて後で説明する。
【００２３】
　以上のように本実施例の装置によるインターバル撮影では、操作者は、残りコマ数が１コマになった時点で発せられる警告（１）で交換の準備をし、警告（２）に示す時間内にＩＣカードの交換を行うようにすれば、１枚のＩＣカードの容量を越えるインターバル撮影の画像データの記録であっても正確なインターバルで撮影を実施することが可能となる。
【００２４】
　なお、本装置においては、ＩＣカードに記録された画像データのインターバル再生も行うことができるが、この場合も同様に、ＩＣカードの記録画像データのうち再生されない残りコマ数が１コマになったとき、残りコマ数が１コマである旨の警告（１）がブザ−２１より発せられ、操作者にＩＣカードを取り替えの準備をするように警告する。その後、交換作業に許容される時間を示す警告（２）が出されたとき、操作者は、別の記録済みＩＣカードと交換する。該交換動作が終了した時点で警告（２）がオフとなり、再生可能状態になる。この交換動作中もシステム制御回路１内でのインターバルの計時は続行されており、該インターバルの単位時間が経過した時点で新たに装着されたＩＣカードの画像データにインターバル再生が実行される。
【００２５】
　本装置によるインターバル再生でも、操作者は、残りコマ数が１コマになった時点で発せられる警告（１），警告（２）に従って、ＩＣカードの交換を行うようにすれば、１枚のＩＣカードの容量を越えるインターバル再生の画像データの再生であっても正確なインターバルで再生を実施することが可能となる。
【００２６】
　次に、上記の第１実施例の画像記録再生装置の変形例について説明する。  
　本変形例は、図１のブロック構成図に示すように第１実施例のものに対して画像データの予備のメモリとなるバッファメモリ２７を別に設けるものであって、ＩＣカ−ドの交換作業中に、インターバルの時間が経過する毎に上記バッファメモリ２７に記録データを記録してゆくものとする。
【００２７】
　例えば、図４のタイムチャ−トインターバル記録を実行中、ＩＣカード（Ａ）２５の記憶容量が残り１コマとなったところで、その旨を警告する警告（１）を発し、操作者はＩＣカードの交換に準備を始める。その後、ＩＣカード（Ａ）２５の記憶容量が残りがなくなった後、設定インターバルの時間が経過する度に、バッファメモリ２７に画像データが記録されてゆく。その期間に操作者はＩＣカードの交換を行う。そして、バッファメモリ２７の記憶容量もなくなった時点で、交換作業に許容される残り時間が警告（２）としてＬＣＤ２２等に表示される。代わりのＩＣカード（Ｂ）２６が装着された後、上記バッファメモリ２７の記録データを上記ＩＣカード（Ｂ）２６に転送される。本変形例のものでは上記インターバルが比較的短い場合においても、警告（１）が出された後、バッファメモリ２７に記録する時間が余裕として存在するので、操作者は無理なくＩＣカードの交換ができる。
【００２８】
　本変形例によるインターバル記録動作について、図４のタイムチャ−ト、および、図５，６のフローチャートを用いて説明する。  
　図５のフローチャートにおいて、まず、INT REC SW３３の状態をチェックし（ステップＳ１）、インターバル記録モードが選択されていれば、ステップＳ２に進み、該モードが選択されていなければステップＳ９に進む。ステップＳ９に進んだ場合、通常のルーチンがコールされ通常の記録，再生処理が実行される。また、上記ステップＳ２においては、記録可能な状態であるかどうかをチェックする。即ち、未記録メモリエリアを有するＩＣカード２５が装着されているか等の判別を行う。
【００２９】
　そして、記録不可の状態であると判別されると、その旨のメッセージをモニタ１０３、または、ＬＣＤ２２に表示して（ステップＳ１０）、ステップＳ１に戻る。記録可能と判断された場合、ステップＳ３に進み、インターバルの時間表示を行うが、その時間の設定は、（＋）SW３４，（−）SW３５により行う（ステップＳ４，Ｓ５）。（＋）SW３４がオンの場合は設定インターバルを所定の単位時間だけ延長し（ステップＳ７）、（−）SW３５がオンの場合は設定インターバルを所定の単位時間だけ短縮する（ステップＳ８）。続いて、ステップＳ６でSTART SW３１が押圧されたことが検出されれば、図６のステップＳ１１に進む。
【００３０】
　ステップＳ１１において、媒体であるＩＣカード（Ａ）２５の未記録エリアが存在していることを確認し、ステップＳ１２に進む。そして、設定インターバル経過毎にステップＳ１１に戻り、順次、画像データが記録されてゆく。また、インターバルの時間が経過するまでは、ステップＳ１４，Ｓ１５に進み、後述するの判別処理の後、ステップＳ１６において、前記STOP SW ３６が操作されたかをチェックする。もし、このSTOP SW ３６がオンになると、本インターバル記録処理を中止して、ステップＳ１（図５）に戻る。STOP SW ３６がオフの場合は、ステップＳ１７に進む。
【００３１】
　ステップＳ１７においては、バッファメモリへの記録状態を示すフラグをチェックして、１にセットされていなければ、即ち、ＩＣカード（Ａ）２５に未記録コマが残されていて、まだ、バッファメモリ２７への書き込みが行われていない状態の場合、ステップＳ１３に戻り設定時間の経過を待つ。なお、該フラグが１にセットされている場合はステップＳ１８に進むが、ステップＳ１８の処理については後で説明する。
【００３２】
　そして、図４の時刻ｔ1 に到達し、ステップＳ１４の判別を行って、ＩＣカード（Ａ）２５の未記録の残りコマ数が１コマになった時点で、ステップＳ２０にジャンプし、未記録の残りコマ数が１コマであることを警告する警告（１）を行う。そして、インターバルの時間が経過し（図４の時刻ｔ2 ）、ＩＣカード（Ａ）２５への最後の記録が行われて、未記録エリアがなくなった状態になると、ステップＳ１１の判別でステップＳ２３にジャンプする。そして、前記フラグを１にセットし、バッファメモリ２７への画像データのインターバル期間毎の記録が開始される（ステップＳ２３）。
【００３３】
　操作者は、このバッファメモリ２７への画像データの記録期間中にＩＣカード（Ａ）２５をＩＣカード（Ｂ）に交換する。なお、この交換作業中もシステム制御回路１においてはインターバルの計時は中断することなく、実行され記録が行われる。ＩＣカ−ドの交換作業中、バッファメモリ２７の残りコマ数がなくなった場合（図４の時刻ｔ3 ）、ステップＳ１５でバッファメモリ２７の残り容量なしと判別され、ステップＳ２１にジャンプし、警告（２）を表示する。この警告はすでに説明したものと同一のものであって、交換作業の残り時間であって、次の記録が開始されるまでの時間を表示するものである
　上記ステップＳ２３でフラグが１にセットされた状態で、前記ステップＳ１７の判別処理に進んだ場合、ステップＳ１８に進む。このステップＳ１８は、媒体であるＩＣカードの未記録メモリの有無をチェックする処理であり、この場合、交換により新しいＩＣカード（Ｂ）２６が装着されたかどうかのチェックを行うことになる。装着されていなければ、そのままステップＳ１３に戻るが、装着されていればステップＳ１９に進み、バッファメモリ２７の内容をＩＣカード（Ｂ）２７に転送する（図４の時刻ｔ4 での処理）。そして、ステップＳ１３に戻りインターバル記録を再開する。なお、このバッファメモリ２７の内容をＩＣカード（Ｂ）２６への転送は、必ずしも上記時刻ｔ4 である必要はなく、ＩＣカード（Ｂ）２６に未記録コマが存在している間であればいつでもよい。
【００３４】
　以上述べたように、本変形例のものでは、ＩＣカードの交換が比較的ゆっくり行うことが可能となり、更に、確実なインターバル記録を行うことができる。また、インターバル再生動作においても記録動作と同様に、操作者は各警告に従ってＩＣカードの交換を行うようにすれば、交換時期に左右されずにインターバルが一定の再生が実行される。
【００３５】
　ここで、前記第１実施例の画像記録再生装置におけるインターバル記録動作のフローチャートについて、前記変形例の説明に用いた図５，６により説明する。図５に示すステップＳ１〜１０までの処理は第１実施例に対しても同一である。そして、図６のステップＳ２３においては、バッファメモリに記録する処理となっているが、この第１実施例の場合、バッファメモリは配設されていないので、ＩＣカードに記録可能なコマがない旨の表示を行って、インターバル記録を中断し、ステップＳ１に戻る。また、図６のステップＳ１５においてはバッファメモリの未記録の残りコマを判別する処理は、ＩＣカード（Ａ）２５の残りコマの有無を判別する処理に代わる。更に、図６のステップＳ１７から１９までの処理は、第１実施例のものでは不要となる。
【００３６】
　次に、上記の第２実施例の画像記録再生装置について説明する。  
　本実施例の装置は、図７のブロック構成図に示すように第１実施例のものに対して画像データのメモリ用としてＩＣカード（１）５３，ＩＣカード（２）５４の２枚のカ−ドが同時に装着可能な画像記録再生装置である。従って、ＩＣカード（１）５３，ＩＣカード（２）５４に対するインターフェース回路であるカ−ドＩ／Ｆ５１，５２が配設されている。その他の構成は、第１実施例の装置のものと同一である。また、図８は撮影システムの構成を示し、本実施例の画像記録再生装置２０２にＩＣカード（１）５３，ＩＣカード（２）５４を装着した状態を示している。  
　本装置によれば、図９のタイムチャ−トに示すように、１枚のＩＣカード（１）５３に画像記録データがメモリに満杯なったときは、上記ＩＣカード（１）５３が交換されるまで、予め装着されているＩＣカ−ド（２）５４に画像データの書き込みが行われる。そして、ＩＣカード（１）５３が交換された後は、交換されたＩＣカード（１）５３に記録される。この記録先にカ−ドの変更時においてもシステム制御回路１のインターバルの計時は中断されることはない。なお、未使用側のＩＣカードは常に交換可能とする。
【００３７】
　本実施例によるインターバル記録動作について、図９のタイムチャ−ト、および、図１０，１１のフローチャートを用いて説明する。  
　図１０のフローチャートにおいて、まず、INT REC SW３３の状態をチェックし（ステップＳ３１）、インターバル記録モードが選択されていれば、ステップＳ３２に進み、該モードが選択されていなければステップＳ４３に進む。そして、通常のルーチンがコールされ通常の記録，再生処理が実行される。上記ステップＳ３２においては、現在指定されているＩＣカード番号を表示するが、そのＩＣカードは、（＋）SW３４を操作して指定する。即ち、（＋）SW３４がオンの場合、別のＩＣカードに変更する（ステップＳ３３，４０）。START SW３１をオンして指定のＩＣカードを決定する（ステップＳ３４）。
【００３８】
　そして、ステップＳ３５において、記録可能な状態であるかどうかをチェックする。即ち、未記録メモリエリアを有するＩＣカードが装着されているか等の判別を行う。そして、記録不可の状態であると判別されると、その旨のメッセージをＬＣＤ２２に表示して（ステップＳ４４）、インターバル記録を中断してステップＳ３１に戻る。記録可能と判断された場合、ステップＳ３６に進み、インターバルの時間表示を行うが、その時間の設定は、（＋）SW３４，（−）SW３５により行う（ステップＳ３７，Ｓ３８）。（＋）SW３４がオンの場合は設定インターバルを所定の単位時間だけ延長し（ステップＳ４１）、（−）SW３５がオンの場合は設定インターバルを所定の単位時間だけ短縮する（ステップＳ４２）。続いて、ステップＳ３９でSTART SW３１が押圧されたことが検出されれば、図１１のステップＳ４５に進む。
【００３９】
　ステップＳ４５において、指定された媒体であるＩＣカード、例えば、ＩＣカード５３への画像データの記録を実行し、ステップＳ４６に進む。そして、指定ＩＣカードの未記録の容量が残っているかをチェックし、未記録容量が残っている限り設定インターバルの時間経過を待ち、ステップＳ４５に戻る。但し、ステップＳ４８でSTOP SW ３６のオンが確認された場合、インターバル記録を中止してステップＳ３１に戻る。また、上記ステップＳ４６の判別で指定ＩＣカードの未記録の容量が残りがなくなった場合は、ステップＳ４９にジャンプする。そして、指定ＩＣカードを、例えば、ＩＣカード５４に変更する。ステップＳ５０で未記録の容量が残っているかをチェックし、未記録容量が残っている場合、ステップＳ４７に戻る。しかし、未記録容量が残っていなかった場合、その旨の表示を行って（ステップＳ５１）、インターバル記録を中断してステップＳ３１に戻る。
【００４０】
　なお、上記図１０，１１のフローチャートには図示されていないが、本実施例のインターバル記録においても指定のＩＣカードに記録容量が残り１コマになった時点で警告（１）がＬＣＤ２２、または、ブザ−２１を介して出され、操作者にＩＣカードの交換の準備を指示する。更に、指定されていない方のＩＣカードの記録データが満杯になった場合も同様に警告（２）が出されることになる。しかし、この場合、ＩＣカ−ドの容量から考えて、警告（２）の方が出されることは比較的に少ない。
【００４１】
　以上述べたように、本実施例例のものでは、やはりＩＣカードの容量がなくなったときにＩＣカードの交換を行う必要がある。しかし、その交換作業中は別のＩＣカードにデータが記録されてゆくので、急いで交換を行う必要もない。従って、インターバルの短い記録に対しても確実なインターバル記録を行うことができる。なお、インターバル再生動作においても記録動作と同様に、操作者は各警告に従ってＩＣカードの交換を行うようにすれば、交換時期に左右されずにインターバルが一定の間隔で実行される。
【００４２】
　なお、本実施例の変形例のもののインターバル記録動作として、画像データの書き込みを、図９に示すように、例えば、ＩＣカード（１）５３からＩＣカード（２）５４に変更するとき、ＩＣカード（１）５３に記録した最後の画像データ記録を確認用として同時にＩＣカード（２）５４側にも同一の画像データ記録（Ｐ１）を行わせる。同様に、例えば、ＩＣカード（１）５４からＩＣカード（２）５３に変更するときにも、ＩＣカード（１）５４に記録した最後の画像データ記録を確認用として同時にＩＣカード（２）５３側にも同一の画像データ記録（Ｐ２）を行わせるようにしてもよい。
【図面の簡単な説明】
【００４３】
【図１】本発明の第１実施例およびその変形例を示す画像記録再生装置のブロック構成図。
【図２】上記図１の第１実施例の画像記録再生装置を組み合わせた撮影システムの構成図。
【図３】上記図１の第１実施例の画像記録再生装置によるインターバル記録動作時のタイムチャ−ト。
【図４】上記第１実施例に対する変形例の画像記録再生装置によるインターバル記録動作時のタイムチャ−ト。
【図５】上記図４の変形例の画像記録再生装置によるインターバル記録処理動作のフローチャートの１部。
【図６】上記図４の変形例の画像記録再生装置によるインターバル記録処理動作のフローチャートの１部。
【図７】本発明の第２実施例を示す画像記録再生装置のブロック構成図。
【図８】上記図７の画像記録再生装置を組み合わせた撮影システムの構成図。
【図９】上記図７の画像記録再生装置によるインターバル記録動作時のタイムチャ−ト。
【図１０】上記図７の画像記録再生装置によるインターバル記録処理動作のフローチャートの１部。
【図１１】上記図７の画像記録再生装置によるインターバル記録処理動作のフローチャートの１部。
【図１２】従来の画像記録再生装置によるインターバル記録動作時のタイムチャ−ト。
【符号の説明】
【００４４】
　　１　…………………システム制御回路（インターバルを維持する手段）
　２５　…………………ＩＣカード（Ａ）（記録媒体）
　２６　…………………ＩＣカード（Ｂ）（記録媒体）
　３３　…………………INT REC SW（インターバル記録モード設定手段）
　３８　…………………INT PLAY SW （インターバル再生モード設定手段）
　５３　…………………ＩＣカード（１）（記録媒体）
　５４　…………………ＩＣカード（２）（記録媒体）
代理人　　弁理士　　伊藤　進
【図１】
2004139729.tif 000003
【図２】
2004139729.tif 000004
【図３】
2004139729.tif 000005
【図４】
2004139729.tif 000006
【図５】
2004139729.tif 000007
【図６】
2004139729.tif 000008
【図７】
2004139729.tif 000009
【図８】
2004139729.tif 000010
【図９】
2004139729.tif 000011
【図１０】
2004139729.tif 000012
【図１１】
2004139729.tif 000013
【図１２】
2004139729.tif 000014